(57)【特許請求の範囲】
【請求項１】
番組を受信する番組受信部と、
番組に対する補足的な情報である補助情報を受信する補助情報受信部と、
前記番組受信部が受信した番組の出力に関するパラメータである１以上の番組パラメータと前記補助情報受信部が受信した補助情報の出力に関するパラメータである１以上の補助情報パラメータのいずれか一方若しくは両方を取得するパラメータ取得部と、
前記パラメータ取得部が取得した１以上の番組パラメータを用いた１以上の補助情報パラメータの変更と前記パラメータ取得部が取得した１以上の補助情報パラメータを用いた１以上の番組パラメータの変更のいずれか一方若しくは両方を行うパラメータ変更部と、
前記番組受信部が受信した番組と前記補助情報受信部が受信した補助情報とを出力する出力部と、を具備し、
前記出力部は、
前記パラメータ変更部が変更した１以上の補助情報パラメータを用いて前記補助情報を出力する、番組出力装置であって、
前記補助情報は、手話映像であり、
前記パラメータ取得部は、前記番組受信部が受信した番組の映像の色に関するパラメータを取得し、
前記パラメータ変更部は、前記番組受信部が受信した番組の映像の色に関するパラメータを用いて、前記補助情報受信部が受信した手話映像の色に関するパラメータを変更する番組出力装置。
【請求項２】
サーバと番組出力装置とを具備する番組システムを構成する番組出力装置であって、
前記サーバは、
番組識別情報に対応付けて１または２以上の補助情報を格納している補助情報格納部と、
前記番組出力装置から前記番組識別情報を有する補助情報送信指示を受信する補助情報送信指示受信部と、
前記補助情報送信指示が有する番組識別情報に対応する１以上の補助情報を前記補助情報格納部から取得する補助情報取得部と、
前記補助情報取得部が取得した１以上の補助情報を前記番組出力装置に送信する補助情報送信部と、を具備し、
前記番組出力装置は、
番組と番組識別情報を受信する番組受信部と、
前記番組受信部が受信した番組識別情報を有する補助情報送信指示を前記サーバに送信する補助情報送信指示送信部と、
前記補助情報送信指示の送信に応じて、当該補助情報送信指示が有する補助情報に対応する１以上の補助情報を前記サーバから受信する補助情報受信部と、
前記番組受信部が受信した番組の出力に関するパラメータである１以上の番組パラメータと前記補助情報受信部が受信した補助情報の出力に関するパラメータである１以上の補助情報パラメータのいずれか一方若しくは両方を取得するパラメータ取得部と、
前記パラメータ取得部が取得した１以上の番組パラメータを用いた１以上の補助情報パラメータの変更と前記パラメータ取得部が取得した１以上の補助情報パラメータを用いた１以上の番組パラメータの変更のいずれか一方若しくは両方を行うパラメータ変更部と、
前記番組受信部が受信した番組と前記補助情報受信部が受信した補助情報とを出力する出力部と、を具備し、
前記出力部は、
前記パラメータ変更部が変更した１以上の補助情報パラメータを用いて前記補助情報を出力する、番組システムを構成する番組出力装置であって、
前記補助情報は、手話映像であり、
前記パラメータ取得部は、前記番組受信部が受信した番組の映像の色に関するパラメータを取得し、
前記パラメータ変更部は、前記番組受信部が受信した番組の映像の色に関するパラメータを用いて、前記補助情報受信部が受信した手話映像の色に関するパラメータを変更する番組出力装置。
【請求項３】
前記パラメータ取得部は、
前記出力部が出力する番組から前記１以上の番組パラメータを取得し、
前記出力部が出力する補助情報から前記１以上の補助情報パラメータを取得する、
請求項１または請求項２記載の番組出力装置。
【請求項４】
番組受信部、補助情報受信部、パラメータ取得部、パラメータ変更部および出力部により実現される番組と補助情報の出力方法であって、
前記番組受信部が、番組を受信する番組受信ステップと、
前記補助情報受信部が、番組に対する補足的な情報である補助情報を受信する補助情報受信ステップと、
前記パラメータ取得部が、前記番組受信部が受信した番組の出力に関するパラメータである１以上の番組パラメータと前記補助情報受信部が受信した補助情報の出力に関するパラメータである１以上の補助情報パラメータのいずれか一方若しくは両方を取得するパラメータ取得ステップと、
前記パラメータ変更部が、前記パラメータ取得部が取得した１以上の番組パラメータを用いた１以上の補助情報パラメータの変更と前記パラメータ取得部が取得した１以上の補助情報パラメータを用いた１以上の番組パラメータの変更のいずれか一方若しくは両方を行うパラメータ変更ステップと、
前記出力部が、前記番組受信ステップで受信された番組と前記補助情報受信ステップで受信された補助情報とを出力する出力ステップと、
を具備する、番組と補助情報の出力方法であって、
前記出力ステップにおいて、
前記パラメータ変更ステップで変更された１以上の補助情報パラメータを用いて前記補助情報受信部が受信した補助情報を出力し、
前記補助情報は、手話映像であり、
前記パラメータ取得ステップにおいて、前記番組受信ステップで受信された番組の映像の色に関するパラメータを取得し、
前記パラメータ変更ステップにおいて、前記番組受信ステップで受信された番組の映像の色に関するパラメータを用いて、前記補助情報受信ステップで受信された手話映像の色に関するパラメータを変更する、番組と補助情報の出力方法。
【請求項５】
番組受信部、補助情報送信指示送信部、補助情報受信部、パラメータ取得部、パラメータ変更部および出力部により実現される番組と補助情報の出力方法であって、
前記番組受信部が、番組と番組識別情報を受信する番組受信ステップと、
前記補助情報送信指示送信部が、前記番組受信ステップで受信された番組識別情報を有する補助情報送信指示をサーバに送信する補助情報送信指示送信ステップと、
前記補助情報受信部が、前記補助情報送信指示の送信に応じて、当該補助情報送信指示が有する補助情報に対応する１以上の補助情報を前記サーバから受信する補助情報受信ステップと、
前記パラメータ取得部が、前記番組受信ステップで受信された番組の出力に関するパラメータである１以上の番組パラメータと前記補助情報受信ステップで受信された補助情報の出力に関するパラメータである１以上の補助情報パラメータのいずれか一方若しくは両方を取得するパラメータ取得ステップと、
前記パラメータ変更部が、前記パラメータ取得ステップで取得された１以上の番組パラメータを用いた１以上の補助情報パラメータの変更と前記パラメータ取得ステップで取得された１以上の補助情報パラメータを用いた１以上の番組パラメータの変更のいずれか一方若しくは両方を行うパラメータ変更ステップと、
前記出力部が、前記番組受信ステップで受信された番組と前記補助情報受信ステップで受信された補助情報とを出力する出力ステップと、を具備し、
前記出力ステップにおいて、
前記パラメータ変更ステップで変更された１以上の補助情報パラメータを用いて前記補助情報を出力し、
前記補助情報は、手話映像であり、
前記パラメータ取得ステップにおいて、前記番組受信ステップで受信された番組の映像の色に関するパラメータを取得し、
前記パラメータ変更ステップにおいて、前記番組受信ステップで受信された番組の映像の色に関するパラメータを用いて、前記補助情報受信部が受信した手話映像の色に関するパラメータを変更する、番組と補助情報の出力方法。
【請求項６】
コンピュータを、
番組を受信する番組受信部と、
番組に対する補足的な情報である補助情報を受信する補助情報受信部と、
前記番組受信部が受信した番組の出力に関するパラメータである１以上の番組パラメータと前記補助情報受信部が受信した補助情報の出力に関するパラメータである１以上の補助情報パラメータのいずれか一方若しくは両方を取得するパラメータ取得部と、
前記パラメータ取得部が取得した１以上の番組パラメータを用いた１以上の補助情報パラメータの変更と前記パラメータ取得部が取得した１以上の補助情報パラメータを用いた１以上の番組パラメータの変更のいずれか一方若しくは両方を行うパラメータ変更部と、
前記番組受信部が受信した番組と前記補助情報受信部が受信した補助情報とを出力する出力部と、して機能させるためのプログラムであって、
前記出力部が、前記パラメータ変更部が変更した１以上の補助情報パラメータを用いて前記補助情報受信部が受信した補助情報を出力し、
前記補助情報は、手話映像であり、
前記パラメータ取得部は、前記番組受信部が受信した番組の映像の色に関するパラメータを取得し、
前記パラメータ変更部は、前記番組受信部が受信した番組の映像の色に関するパラメータを用いて、前記補助情報受信部が受信した手話映像の色に関するパラメータを変更するものとして、コンピュータを機能させるためのプログラム。
【請求項７】
コンピュータを、
番組と番組識別情報を受信する番組受信部と、
前記番組受信部が受信した番組識別情報を有する補助情報送信指示をサーバに送信する補助情報送信指示送信部と、
前記補助情報送信指示の送信に応じて、当該補助情報送信指示が有する補助情報に対応する１以上の補助情報を前記サーバから受信する補助情報受信部と、
前記番組受信部が受信した番組の出力に関するパラメータである１以上の番組パラメータと前記補助情報受信部が受信した補助情報の出力に関するパラメータである１以上の補助情報パラメータのいずれか一方若しくは両方を取得するパラメータ取得部と、
前記パラメータ取得部が取得した１以上の番組パラメータを用いた１以上の補助情報パラメータの変更と前記パラメータ取得部が取得した１以上の補助情報パラメータを用いた１以上の番組パラメータの変更のいずれか一方若しくは両方を行うパラメータ変更部と、
前記番組受信部が受信した番組と前記補助情報受信部が受信した補助情報とを出力する出力部として機能させるプログラムであって、
前記出力部は、
前記パラメータ変更部が変更した１以上の補助情報パラメータを用いて前記補助情報を出力し、
前記補助情報は、手話映像であり、
前記パラメータ取得部は、前記番組受信部が受信した番組の映像の色に関するパラメータを取得し、
前記パラメータ変更部は、前記番組受信部が受信した番組の映像の色に関するパラメータを用いて、前記補助情報受信部が受信した手話映像の色に関するパラメータを変更するものとして、コンピュータを機能させるためのプログラム。
【発明の詳細な説明】
【技術分野】
【０００１】
本発明は、番組とともに補助情報を出力する番組出力装置等に関するものである。
【背景技術】
【０００２】
従来、聴覚障害者や聴覚能力が低下している高齢者のために、受信装置で番組とともに障害の程度に応じた補助情報を出力させることができる送受信システムが提案されている（特許文献１の段落［０００８］、図１，図２参照）。補助情報は、聴覚障害者の視聴を補助するための字幕や手話映像などの情報である。
【先行技術文献】
【特許文献】
【０００３】
【特許文献１】特許第４７７２０９７号
【発明の概要】
【発明が解決しようとする課題】
【０００４】
従来の送受信システムでは、例えば、字幕が番組の映像に重畳して出力される場合、字幕の色や輝度などの出力に関するパラメータは一定であるので、字幕が重畳される番組映像の色や輝度の変化によって当該番組映像に対する字幕のコントラストが不適切になり、字幕が見辛くなる場合がある。
【０００５】
また、ディスプレイの画面を分割して番組の映像と手話映像を同時に表示する場合も、手話映像の画面内の位置や大きさなどの出力に関するパラメータは固定されているので、番組映像の変化によって手話映像が見辛くなったり、逆に手話映像によって番組映像が見辛くなったりする場合がある。
【０００６】
また、番組に対して当該番組の内容の視聴を補助するための補助音声を提供する場合、その補助音声を番組の音声と同時に出力するような状態が生じることも考えられ、そのようなときには、補助音声と番組の音声の両方が聞き辛くなるという問題がある。
【０００７】
特に、視聴覚障害者用の字幕や手話映像などの補助情報では、番組映像に対する字幕や手話映像の出力に関するパラメータが不適切であると、視聴覚障害者が番組内容を十分に把握できないという問題が生じる。
【０００８】
テレビ受信機側に番組若しくは補助情報の出力に関するパラメータを調整するためのパラメータ機構を設け、視聴者がそのパラメータ調整機構を用いて番組若しくは補助情報の出力に関するパラメータを所望の値に調整する方法が考えられるが、視聴者が番組若しくは補助情報の出力に関するパラメータを所望の値に調整することは容易でない。特に、番組視聴中に、視聴者が補助情報の出力に関するパラメータを調整することは現実的でない。
【課題を解決するための手段】
【０００９】
本第一の発明の番組出力装置は、番組を受信する番組受信部と、番組に対する補足的な情報である補助情報を受信する補助情報受信部と、番組受信部が受信した番組の出力に関するパラメータである１以上の番組パラメータと補助情報受信部が受信した補助情報の出力に関するパラメータである１以上の補助情報パラメータのいずれか一方若しくは両方を取得するパラメータ取得部と、パラメータ取得部が取得した１以上の番組パラメータを用いた１以上の補助情報パラメータの変更とパラメータ取得部が取得した１以上の補助情報パラメータを用いた１以上の番組パラメータの変更のいずれか一方若しくは両方を行うパラメータ変更部と、番組受信部が受信した番組と補助情報受信部が受信した補助情報とを出力する出力部とを具備し、出力部は、パラメータ変更部が変更した１以上の番組パラメータを用いて番組を出力する、またはパラメータ変更部が変更した１以上の補助情報パラメータを用いて補助情報を出力する番組出力装置である。
【００１０】
かかる構成により、番組若しくは補助情報の出力に関するパラメータを自動的に調整することができる。
【００１１】
本第二の発明の番組出力装置は、サーバと番組出力装置とを具備する番組システムを構成する番組出力装置であって、サーバは、番組識別情報に対応付けて１または２以上の補助情報を格納している補助情報格納部と、番組出力装置から番組識別情報を有する補助情報送信指示を受信する補助情報送信指示受信部と、補助情報送信指示が有する番組識別情報に対応する１以上の補助情報を補助情報格納部から取得する補助情報取得部と、補助情報取得部が取得した１以上の補助情報を番組出力装置に送信する補助情報送信部とを具備し、番組出力装置は、番組と番組識別情報を受信する番組受信部と、番組受信部が受信した番組識別情報を有する補助情報送信指示をサーバに送信する補助情報送信指示送信部と、補助情報送信指示の送信に応じて、当該補助情報送信指示が有する補助情報に対応する１以上の補助情報をサーバから受信する補助情報受信部と、番組受信部が受信した番組の出力に関するパラメータである１以上の番組パラメータと補助情報受信部が受信した補助情報の出力に関するパラメータである１以上の補助情報パラメータのいずれか一方若しくは両方を取得するパラメータ取得部と、番組受信部が受信した番組と補助情報受信部が受信した補助情報とを出力する出力部とを具備し、出力部は、パラメータ変更部が変更した１以上の番組パラメータを用いて番組を出力する、またはパラメータ変更部が変更した１以上の補助情報パラメータを用いて補助情報を出力する、番組システムを構成する番組出力装置である。
【００１２】
かかる構成により、番組若しくは補助情報の出力に関するパラメータを自動的に調整することができる。
【００１３】
本第三の発明の番組出力装置は、第一または第二の発明に対して、パラメータ取得部は、出力部が出力する番組から１以上の番組パラメータを取得し、出力部が出力する補助情報から１以上の補助情報パラメータを取得する、番組出力装置である。
【００１４】
かかる構成により、番組若しくは補助情報の出力に関するパラメータを自動的に調整することができる。
【００１５】
本第四の発明の番組出力装置は、第一から第三のいずれか１つの発明に対して、補助情報は、補助音声であり、番組パラメータは、番組の音声の出力に関するパラメータであり、補助情報パラメータは、補助音声の出力に関するパラメータである、番組出力装置である。
【００１６】
かかる構成により、番組と同時に補助音声を出力する際、当該補助音声の出力に関するパラメータを自動的に調整することができる。
【００１７】
本第五の発明の番組出力装置は、第一から第三のいずれか１つの発明に対して、補助情報は、字幕、手話映像および絵文字のうち、いずれか１または２以上の種類を含む、番組出力装置である。
【００１８】
かかる構成により、字幕、手話映像および絵文字のうち、いずれか１または２以上の種類の補助情報の出力に関するパラメータを自動的に調整することができる。
【００１９】
本第六の発明の番組出力装置は、第一から第三のいずれか１つの発明に対して、補助情報は、字幕であり、番組パラメータ取得部は、番組受信部が受信した番組の映像のうち、字幕が重複して出力される部分の色に関するパラメータを取得し、パラメータ変更部は、番組パラメータ取得部が取得した番組の映像の色に関するパラメータを用いて、補助情報受信部が受信した字幕の色に関するパラメータを変更する、番組出力装置である。
【００２０】
かかる構成により、番組と同時に字幕を出力する際、当該字幕の色に関するパラメータを自動的に調整することができる。
【００２１】
本第七の発明の番組出力装置は、第一から第三のいずれか１つの発明に対して、補助情報は、手話映像であり、番組パラメータ取得部は、番組受信部が受信した番組の映像の色に関するパラメータを取得し、パラメータ変更部は、番組受信部が受信した番組の映像の色に関するパラメータを用いて、補助情報受信部が受信した手話映像の色に関するパラメータを変更する、番組出力装置である。
【００２２】
かかる構成により、番組と同時に手話映像を出力する際、当該手話映像の色に関するパラメータを自動的に調整することができる。
【発明の効果】
【００２３】
本発明による番組出力装置等によれば、番組若しくは補助情報の出力に関するパラメータを自動的に調整することができる。
【図面の簡単な説明】
【００２４】
【図１】実施の形態１の番組出力装置のブロック図
【図２】同実施の形態１の番組出力装置における番組と補助情報の出力動作を説明するためのフローチャート
【図３】実施の形態２の番組出力装置のブロック図
【図４】同実施の形態２の番組出力装置における番組と補助情報の出力動作を説明するためのフローチャート
【図５】同番組の映像と字幕を番組出力装置のディスプレイに表示した一例を示す図
【図６】同字幕の情報の一例を示す図
【図７】同番組の映像の字幕出力領域の明るさや色合いを用いて、字幕の背景色と文字色のパラメータを変更した場合の番組と字幕の出力態様の一例を示す図
【図８】同番組の映像の字幕出力領域の色分布を用いて、表示画面内における字幕の表示位置を変更した場合の番組と字幕の出力態様の一例を示す図
【図９】同番組の映像のアスペクト比を用いて、表示画面内における字幕の表示位置を変更した場合の番組と字幕の出力態様の一例を示す図
【図１０】同番組の映像と手話映像を番組出力装置のディスプレイに表示した一例を示す図
【図１１】同手話映像の情報の一例を示す図
【図１２】同番組のジャンルの情報を用いて、表示画面における手話映像の大きさのパラメータを変更した場合の番組と手話映像の出力態様の一例を示す図
【図１３】同補助音声の情報の一例を示す図
【図１４】同番組のジャンルの情報を用いて、番組の音声と補助音声の出力に関する各パラメータを変更した場合の両音声の出力態様の一例を示す図
【図１５】実施の形態１，２における番組出力装置等を実現するコンピュータシステムの外観の一例を示す模式図
【図１６】同コンピュータシステムの内部構成を示すブロック図
【発明を実施するための形態】
【００２５】
以下、本発明による番組出力装置等の実施形態について、図面を参照して説明する。
【００２６】
なお、実施の形態において、同じ符号を付した構成要素は同様の動作を行うので、再度の説明を省略する場合がある。また、本実施の形態において、説明する各種の情報の形式、内容などは、あくまで例示であり、形式、内容は問わない。
【００２７】
（実施の形態１）
図１は、実施の形態１における番組出力装置１Ａのブロック図である。
【００２８】
番組出力装置１Ａは、テレビジョン放送やＩＰ放送などによって放送される番組を受信してディスプレイとスピーカーに出力する。番組出力装置１Ａには、例えば、デジタルテレビ受信機や、パソコンや、ハードディスクレコーダーや、プルーレイディスク・レコーダーなどが含まれる。
【００２９】
番組出力装置１Ａは、番組受信部１０１、補助情報受信部１０２、パラメータ取得部１０３、パラメータ変更部１０４および出力部１０５を備える。また、出力部１０５は、番組出力手段１０５１と補助情報出力手段１０５２を備える。
【００３０】
番組受信部１０１は、番組を受信する。番組は、通常、映像と音声を含む。補助情報受信部１０２は、放送局から送信される補助情報を受信する。補助情報は、番組に対する補足的な情報である。補助情報は、番組受信部１０１が受信する番組の視聴を補助する機能を有する。補助情報には、例えば、字幕、手話映像、絵文字、補助音声などが含まれる。
【００３１】
字幕は、番組の映像に合わせて表示させる会話、解説、擬音語などを文字や記号で表記したものである。字幕は、通常、無地の背景に文字や記号を表記した静止画で構成され、通常、番組の映像の当該字幕が対応付けられたシーンに同期して出力される。
【００３２】
手話映像は、会話、解説、擬音語などを手話で表現している映像（動画）である。手話映像は、例えば、ＣＧ（Ｃｏｍｐｕｔｅｒ  Ｇｒａｐｈｉｃｓ）の映像であってもよく、手話通訳者が行う手話通訳の動作を撮影した映像でもよい。また、手話映像は、番組の映像に対応付けられたテキスト情報を用いて自動的に生成した手話映像であってもよい。番組の映像に対応付けられたテキスト情報は、例えば、番組の映像に対応付けられた字幕や、番組の映像に対応付けられた音声を音声認識によって取得したテキスト情報などである。
【００３３】
絵文字は、会話や解説の内容を絵柄や記号によって象徴的に表現したものである。絵文字には、例えば、人間の喜怒哀楽の感情を表現した泣き顔や笑い顔などの絵柄や災害発生時の災害の種類と規模（若しくは緊急度）を表現した図柄などが含まれる。絵文字のデータ構造は、問わない。絵文字は、例えば、ビットマップデータ形式の画像データでもよく、ベクターデータ形式の画像データでもよく、外字データ形式の画像データでもよい。
【００３４】
補助音声は、番組の映像に表示若しくは付加される解説などを音声で解説した情報である。補助音声は、例えば、人が解説文を読み上げた音声であってもよく、解説文を音声合成により変換した合成音や音声合成される文字列などであってもよい。
【００３５】
補助情報には、番組内の出力箇所を示す箇所情報を有する場合がある。番組内の出力箇所とは、番組の出力時間における補助情報の時間的な出力位置（番組内の相対的な出力時刻）である。番組内の補助情報の時間的な出力位置は、例えば、番組開始時から経過時間によって表される。
【００３６】
番組受信部１０１は、通常、番組出力装置１Ａの電源がＯＮになっている間、図示省略のチャネル番号格納部に格納されているチャネル番号で放送されている番組を受信する。また、補助情報受信部１０２は、同チャネル番号で送信される補助情報を受信する。
【００３７】
番組受信部１０１と補助情報受信部１０２は、通常、無線または有線の通信手段で実現されるが、放送受信手段で実現してもよい。番組受信部１０１と補助情報受信部１０２は、同一媒体から無線または有線の通信手段で番組と補助情報をそれぞれ受信してもよいし、異なる媒体から無線で番組と補助情報とをそれぞれ受信してもよい。
【００３８】
パラメータ取得部１０３は、番組受信部１０１が受信した番組の出力に関するパラメータである１以上の番組パラメータと補助情報受信部１０２が受信した補助情報の出力に関するパラメータである１以上の補助情報パラメータのいずれか一方若しくは両方を取得する。パラメータ取得部１０３は、番組パラメータを取得する番組パラメータ取得手段１０３１と、補助情報パラメータを取得する補助情報パラメータ取得手段１０３２とを備える。
【００３９】
番組パラメータと補助情報パラメータには、映像の出力に関する映像パラメータと音声の出力に関する音声パラメータのうち、１以上のパラメータが含まれる。
【００４０】
映像パラメータには、番組出力装置１Ａのディスプレイの表示画面における映像の表示位置、表示サイズ、アスペクト比などのパラメータ（以下、「ウィンドウパラメータ」という。）と、映像の明るさや色合いなどのパラメータ（以下、「コンテンツパラメータ」という。）と、が含まれる。
【００４１】
音声パラメータには、番組出力装置１Ａのスピーカーから出力する音声の音量、音色などの音質に関するパラメータと、モノラル／ステレオの出力形式、出力用スピーカーの選択、言語の選択などの音声の出力形式に関するパラメータと、が含まれる。
【００４２】
番組パラメータ取得手段１０３１は、番組の映像に対して、主としてコンテンツパラメータを取得する。番組パラメータ取得手段１０３１は、番組出力手段１０５１が出力する番組の映像から、例えば、明度、彩度、色相などの１以上のコンテンツパラメータを取得する。
【００４３】
なお、番組受信部１０１が受信した番組に含まれる番組関連情報にモノクロ／カラーなどの番組映像の色に関するパラメータが含まれる場合、番組パラメータ取得手段１０３１は、番組受信部１０１が受信した番組関連情報から番組映像の色に関するパラメータをコンテンツパラメータとして取得するようにしてもよい。
【００４４】
また、番組関連情報に報道番組、スポーツ番組、映画などの番組のジャンルが含まれている場合、そのジャンルの情報を番組パラメータとして取得するようにしてもよい。これは、例えば、番組映像と手話映像を同時に出力する場合、番組のジャンルによって手話映像の適切な表示位置や表示サイズが異なるので、番組のジャンルを用いて手話映像の出力に関するパラメータを変更する場合があるからである。
【００４５】
また、番組パラメータ取得手段１０３１は、番組出力手段１０５１が出力する番組の音声から音量、音色などの１以上の音質に関するパラメータとモノラル／ステレオの出力形式、出力用スピーカーの選択などの１以上の出力形式に関するパラメータを取得する。なお、番組パラメータ取得手段１０３１は、番組受信部１０１が受信した番組関連情報にモノラル／ステレオ、マルチ言語放送などの情報が含まれている場合、当該番組関連情報からこれらの情報を番組の出力形式に関するパラメータとして取得するようにしてもよい。
【００４６】
補助情報パラメータには、字幕の画像、絵文字の画像、手話映像などの出力に関する映像パラメータと補助音声の出力に関する音声パラメータのうち、１以上のパラメータが含まれる。補助情報パラメータ取得手段１０３２は、補助情報出力手段１０５２が出力する補助情報の映像（字幕の画像、絵文字の画像、手話映像などの映像）から１以上の補助情報のコンテンツパラメータと、補助音声の音声パラメータを取得する。
【００４７】
パラメータ変更部１０４は、番組パラメータ取得手段１０３１が取得した１以上の番組パラメータを用いた１以上の補助情報パラメータの変更と補助情報パラメータ取得手段１０３２が取得した１以上の補助情報パラメータを用いた１以上の番組パラメータの変更のいずれか一方若しくは両方を行う。例えば、パラメータ変更部１０４は、番組の映像の明るさのパラメータを用いて、例えば、字幕の色や明るさのパラメータを変更する。
【００４８】
また、パラメータ変更部１０４は、例えば、番組音声の音量のパラメータを用いて、補助音声の音量のパラメータを変更する。また、パラメータ変更部１０４は、例えば、補助音声の音量のパラメータを用いて、番組音声の音量のパラメータを変更する。
【００４９】
パラメータ取得部１０３およびパラメータ変更部１０４は、通常、ＭＰＵやメモリ等で実現され得る。パラメータ取得部１０３およびパラメータ変更部１０４の処理手順は、通常、ソフトウェアで実現され、当該ソフトウェアはＲＯＭ等の記録媒体に記録されている。但し、パラメータ取得部１０３およびパラメータ変更部１０４をハードウェア（専用回路）で実現してもよい。
【００５０】
出力部１０５は、番組受信部１０１が受信した番組と補助情報受信部１０２が受信した補助情報を出力する。出力部１０５は、番組の映像と音声を出力する番組出力手段１０５１と、補助情報の映像と音声を出力する補助情報出力手段１０５２とを備える。
【００５１】
番組出力手段１０５１は、番組受信部１０１が受信した番組の１以上の番組パラメータ（主にコンテンツパラメータと音声パラメータ）がパラメータ変更部１０４によって変更された場合、変更後の１以上の番組パラメータを用いて、番組受信部１０１が受信した番組を出力する。補助情報出力手段１０５２は、補助情報受信部１０２が受信した補助情報の１以上の補助情報パラメータ（主にコンテンツパラメータと音声パラメータ）がパラメータ変更部１０４によって変更された場合、変更後の１以上の補助情報パラメータを用いて、補助情報受信部１０２が受信した補助情報を出力する。
【００５２】
補助情報出力手段１０５２は、通常、補助情報受信部１０２が受信した補助情報を番組出力装置１Ａの出力デバイス（通常、ディスプレイとスピーカーのうち、１以上の出力デバイス）で出力する。補助情報出力手段１０５２は、例えば、字幕や絵文字を番組の映像に重畳して番組出力装置１Ａのディスプレイに出力する。字幕や絵文字を番組の映像に重畳する技術としては、例えば、スーパーインポーズなど周知の技術を用いることができる。また、補助情報出力手段１０５２は、例えば、番組の映像が出力されている番組出力装置１Ａのディスプレイの画面の一部を分割し、その分割領域に手話映像を出力する。
【００５３】
補助情報出力手段１０５２は、補助情報受信部１０２が受信した補助情報を番組出力装置１Ａとは異なる装置の出力デバイスで出力してもよい。番組出力装置１Ａとは異なる装置は、例えば、携帯電話、スマートフォン、タブレットなどの携帯端末である。
【００５４】
なお、番組と補助情報の出力処理は、ディスプレイとスピーカーへの出力（画像表示と音声出力）だけでなく、例えば、プロジェクターを用いた投影、プリンタでの印字、他の装置への送信、記録媒体への蓄積、他の処理装置や他のプログラムなどへの処理結果の引渡しなどの処理であってもよい。他の処理装置としては、例えば、携帯電話、スマートフォンなどのように、画像を出力することができる装置が含まれる。なお、送信、蓄積、処理結果の引渡しの処理については、出力対象が最終的に視聴者に提示されるものとする。
【００５５】
出力部１０５は、ディスプレイ等の出力デバイスを含むと考えてもよく、含まないと考えてもよい。出力部１０５は、出力デバイスのドライバーソフト、または、出力デバイスのドライバーソフトと出力デバイス等で実現され得る。
【００５６】
次に、番組出力装置１Ａの番組と補助情報の出力動作について、図２のフローチャートを用いて説明する。
【００５７】
（ステップＳ２０１）番組受信部１０１は、電源がＯＮになったか否かを判断する。電源がＯＮになると（Ｓ２０１：Ｙ）、ステップＳ２０２に進み、電源がＯＦＦ状態であれば（Ｓ２０１：Ｎ）、判断を継続する。
【００５８】
（ステップＳ２０２）番組受信部１０１は、チャネル番号格納部に格納されているチャネル番号で放送される番組を受信する。また、補助情報受信部１０２は、同チャネル番号で補助情報が送信されている場合、その補助情報を受信する。
【００５９】
（ステップＳ２０３）番組パラメータ取得手段１０３１は、番組受信部１０１が受信した番組の番組パラメータを取得する。番組パラメータ取得手段１０３１は、番組出力手段１０５１が出力する番組の映像データや番組受信部１０１が受信した番組の番組関連情報を用いて、主として番組映像のコンテンツパラメータ（例えば、映像の明るさ、色合い、モノクロ／カラーなどのパラメータ）を取得する。
【００６０】
また、番組パラメータ取得手段１０３１は、番組出力手段１０５１が出力する番組の音声データを用いて、例えば、音量、音色、モノラル／ステレオなどの番組の音声パラメータを取得する。
【００６１】
（ステップＳ２０４）補助情報パラメータ取得手段１０３２は、補助情報受信部１０２が補助情報を受信しているか否かを判断する。補助情報受信部１０２が補助情報を受信していれば（Ｓ２０４：Ｙ）、ステップＳ２０５に進み、補助情報受信部１０２が補助情報を受信していなければ（Ｓ２０４：Ｎ）、ステップＳ２０６に進む。
【００６２】
（ステップＳ２０５）補助情報パラメータ取得手段１０３２は、補助情報受信部１０２が受信した補助情報の補助情報パラメータを取得する。補助情報パラメータ取得手段１０３２は、補助情報出力手段１０５２が出力する補助情報の映像データを用いて、例えば、字幕や手話映像の明るさや色合いなどの映像パラメータを取得し、同補助情報の音声データを用いて、例えば、音量、音色、モノラル／ステレオなどの音声パラメータを取得する。
【００６３】
（ステップＳ２０６）パラメータ変更部１０４は、番組パラメータ取得手段１０３１が取得した番組の番組パラメータを用いた補助情報パラメータの変更と補助情報パラメータ取得手段１０３２が取得した補助情報パラメータを用いた番組パラメータの変更のいずれか一方若しくは両方を行う。パラメータ変更部１０４は、補助情報受信部１０２が字幕の補助情報を受信している場合、例えば、番組の当該字幕が出力される部分の映像パラメータ（コンテンツパラメータ）を用いて、字幕の明るさや色合いなどのパラメータを変更する。
【００６４】
また、パラメータ変更部１０４は、補助情報受信部１０２が補助音声の補助情報を受信している場合、例えば、補助音声の音量、音色、モノラル／ステレオなどのパラメータを用いて、番組音声の音量、音色、モノラル／ステレオなどのパラメータを変更する。
【００６５】
（ステップＳ２０７）出力部１０５の番組出力手段１０５１は、パラメータ変更部１０４が変更した番組パラメータを用いて、番組受信部１０１が受信した番組を出力する。例えば、パラメータ変更部１０４が番組の映像の明るさを変更した場合、番組出力手段１０５１は、変更された明るさで番組の映像を出力する。また、パラメータ変更部１０４が、例えば、番組の音声をモノラル出力に変更した場合、番組出力手段１０５１は、番組の音声を一対のスピーカーの一方からモノラル出力する。
【００６６】
（ステップＳ２０８）出力部１０５は、補助情報受信部１０２によって補助情報が受信されているか否かを判断する。補助情報が受信されていれば（Ｓ２０８：Ｙ）、ステップＳ２０９に進み、補助情報が受信されていなければ（Ｓ２０８：Ｎ）、ステップＳ２１０に進む。
【００６７】
（ステップＳ２０９）出力部１０５の補助情報出力手段１０５２は、パラメータ変更部１０４が変更した補助情報パラメータを用いて、補助情報を出力する。例えば、パラメータ変更部１０４が字幕のコンテンツパラメータを変更した場合、補助情報出力手段１０５２は、変更された字幕のコンテンツパラメータを用いて、字幕を出力する。例えば、字幕の表示色のパラメータの標準値が黒地に白色の文字で描くように設定されている場合にパラメータ変更部１０４が、例えば、標準値を灰色地に黄色の文字で描くように変更した場合、補助情報出力手段１０５２は、変更後の表示態様で字幕の画像を作成し、その字幕の画像を番組の映像に重畳してディスプレイに出力する。
【００６８】
また、例えば、パラメータ変更部１０４が補助音声の音量を標準値よりも小さくするように変更した場合、補助情報出力手段１０５２は、スピーカーから標準値よりも小さい音量で補助音声を出力する。
【００６９】
（ステップＳ２１０）番組受信部１０１と補助情報受信部１０２は、電源がＯＦＦになったか否かを判断する。電源がＯＦＦになっていないときは（Ｓ２１０：Ｎ）、ステップＳ２０２に戻り、電源がＯＦＦになったときは（Ｓ２１０：Ｙ）、番組と補助情報の出力処理を終了する。
【００７０】
（実施の形態２）
図３は、実施の形態２における番組出力装置１Ｂとサーバ２を具備する番組システムのブロック図である。
【００７１】
実施の形態２は、番組識別情報に対応付けられた１以上の補助情報が格納された補助情報格納部２０１を備えたサーバ２に番組出力装置１Ｂを通信可能に接続し、当該サーバ２から番組出力装置１Ｂの要求に応じて補助情報を番組出力装置１Ｂに提供する構成である。番組出力装置１Ｂとサーバ２は、例えば、インターネット回線網３に接続され、相互に通信可能になっている。
【００７２】
図３に示す番組出力装置１Ｂは、図１に示す番組出力装置１Ａにおいて、番組受信部１０１を番組受信部１０１Ａに変更するとともに、補助情報受信部１０２を補助情報受信部１０２Ａに変更し、補助情報送信指示送信部１０６を追加した構成である。
【００７３】
番組受信部１０１は、放送局から送信される番組を受信する構成だったが、番組受信部１０１Ａは、放送局から送信される番組と当該番組の番組識別情報を受信する点が番組受信部１０１と異なる。また、補助情報受信部１０２は、放送局から送信される補助情報を受信する構成だったが、補助情報受信部１０２Ａは、番組出力装置１Ａの要求に応じてサーバ２から送信される補助情報を受信する点が補助情報受信部１０２と異なる。
【００７４】
番組出力装置１Ｂ内のパラメータ取得部１０３、パラメータ変更部１０４および出力部１０５は、実施の形態１で説明したパラメータ取得部１０３、パラメータ変更部１０４および出力部１０５と基本的に同一の動作をするので、以下では、重複する構成の説明は省略し、異なる構成について説明する。
【００７５】
番組受信部１０１Ａは、放送局から放送される番組と当該番組の番組識別情報とを受信する。番組識別情報は、通常、番組毎に付与される番組識別子（番組ＩＤ）であるが、番組を識別できるものであれば、他の識別情報であってもよい。例えば、番組名や、Ｇコードなどの番組に設定されたコード番号を番組識別情報に利用してもよい。
【００７６】
番組受信部１０１Ａは、番組配信サーバから有線や無線の通信手段で番組と番組識別情報を受信してもよいし、地上波放送局から無線で番組と番組識別情報を受信してもよい。番組受信部１０１Ａが受信した番組識別情報は図示省略の番組情報格納部に一時的に記憶される。
【００７７】
番組がデジタル放送される場合、番組識別情報は、デジタル化される映像または音声に埋め込まれていてもよいし、デジタル化された映像および音声に多重化されるデータに含まれていてもよい。例えば、データに含まれる番組関連情報に番組識別情報を含めてもよい。なお、番組識別情報が番組の映像、音声またはデータに埋め込まれている場合は、番組受信部１０１Ａは、放送波を受信することによって番組と番組識別情報とを受信する。
【００７８】
番組識別情報は、番組の伝送信号にリンク付けされていてもよい。要するに、番組受信部１０１Ａが放送波を受信し、その放送波を復調することによって番組の映像、音声およびデータと、当該番組の番組識別情報とが得られる構造であれば、番組の放送波における番組と番組識別情報のデータ構造は問わない。
【００７９】
番組受信部１０１Ａは、通常、番組出力装置１Ａの電源がＯＮになっている間、図示省略のチャネル番号格納部に格納されているチャネル番号で放送されている番組を受信する。
【００８０】
補助情報送信指示送信部１０６は、番組受信部１０１Ａが受信した番組識別情報を有する補助情報送信指示をサーバ２に送信する。補助情報送信指示は、サーバ２に対して番組識別情報に対応付けられた１または２以上の補助情報を番組出力装置１Ｂに送信することの指示である。
【００８１】
番組識別情報に対応付けられた補助情報が２以上ある場合、補助情報送信指示には、サーバ２から２以上の補助情報を一括して送信させる補助情報送信指示と、サーバ２から２以上の補助情報情報を順番に送信させる補助情報送信指示とが含まれる。サーバ２から２以上の補助情報を順番に送信させる場合、補助情報送信指示送信部１０６は、番組識別情報と補助情報の順番を示す情報とを指定した補助情報送信指示をサーバ２に逐次送信してもよく、番組識別情報だけを指定した補助情報送信指示をサーバ２に送信してもよい。
【００８２】
補助情報には、後述するように、補助情報を識別するための補助情報識別子が付与されている。また、補助情報には、番組内の出力箇所を示す箇所情報を有する場合がある。番組内の出力箇所とは、番組の出力時間における補助情報の時間的な出力位置である。補助情報の順番を示す情報として、上記の補助情報識別子または番組内の出力箇所を用いることができる。
【００８３】
補助情報送信指示送信部１０６は、サーバ２から２以上の補助情報を順番に送信させる場合、番組識別情報と補助情報識別子とを指定した補助情報送信指示若しくは番組識別情報と箇所情報とを指定した補助情報送信指示をサーバ２に送信する。
【００８４】
補助情報送信指示送信部１０６は、サーバ２に２以上の補助情報の順次送信を指示する場合、最初の補助情報送信指示では、補助情報の補助情報識別子や番組内の出力箇所が分からないので、番組識別情報だけを有する補助情報送信指示をサーバ２に送信する。補助情報送信指示送信部１０６は、２回目以降の補助情報送信指示では、番組受信部１０１Ａが受信した番組識別情報と、取得した最新の補助情報に含まれる補助情報識別子若しくは箇所情報とを有する補助情報送信指示をサーバ２に送信する。
【００８５】
補助情報受信部１０２Ａは、補助情報送信指示送信部１０６による補助情報送信指示の送信に応じて、当該補助情報送信指示に対応する補助情報をサーバ２から受信する。
【００８６】
なお、補助情報送信指示送信部１０６が番組識別情報だけを有する補助情報送信指示を送信した場合、サーバ２は当該番組識別情報に対応付けられている１以上の補助情報を番組出力装置１Ｂに送信する。また、補助情報送信指示送信部１０６が番組識別情報と補助情報識別子とを有する補助情報送信指示を送信した場合、サーバ２は、当該番組識別情報と当該補助情報識別子の次の補助情報識別子とに対応付けられた補助情報を番組出力装置１Ｂに送信する。また、補助情報送信指示送信部１０６が番組識別情報と箇所情報とを有する補助情報送信指示を送信した場合、サーバ２は、当該番組識別情報と当該箇所情報に含まれる番組内の出力箇所の次の出力箇所とに対応付けられた補助情報を番組出力装置１Ｂに送信する。
【００８７】
補助情報送信指示送信部１０６は、通常、無線または有線の通信手段で実現されるが、放送送信手段で実現してもよい。また、補助情報受信部１０２Ａは、通常、無線または有線の通信手段で実現されるが、放送受信手段で実現してもよい。
【００８８】
サーバ２は、補助情報格納部２０１、補助情報送信指示受信部２０２、補助情報取得部２０３および補助情報送信部２０４を備える。
【００８９】
補助情報格納部２０１は、１または２以上の補助情報を番組識別情報に対応付けて格納している。補助情報格納部２０１は、不揮発性の記録媒体が好適であるが、揮発性の記録媒体でもよい。補助情報格納部２０１に補助情報が格納される過程は問わない。例えば、記録媒体を介して補助情報が補助情報格納部２０１に格納されてもよい。また、通信回線等を介して送信された補助情報が補助情報格納部２０１に格納されてもよい。あるいは、入力デバイスを介して入力された補助情報が補助情報格納部２０１に格納されてもよい。
【００９０】
次に、番組出力装置１Ｂの番組と補助情報の出力動作について、図４のフローチャートを用いて説明する。
【００９１】
（ステップＳ４０１）番組受信部１０１Ａは、電源がＯＮになったか否かを判断する。電源がＯＮになると（Ｓ４０１：Ｙ）、ステップＳ４０２に進み、電源がＯＦＦ状態であれば（Ｓ４０１：Ｎ）、判断を継続する。
【００９２】
（ステップＳ４０２）番組受信部１０１Ａは、チャネル番号格納部に格納されているチャネル番号で放送される番組を受信する。
【００９３】
（ステップＳ４０３）番組受信部１０１Ａは、受信した番組に含まれる番組識別情報を復調し、番組識別情報格納部に格納する。
【００９４】
（ステップＳ４０４）番組パラメータ取得手段１０３１は、番組受信部１０１Ａが受信した番組の番組パラメータを取得する。番組パラメータ取得手段１０３１は、番組出力手段１０５１が出力する番組の映像データや番組受信部１０１Ａが受信した番組の番組関連情報を用いて、主として番組映像のコンテンツパラメータ（例えば、映像の明るさ、色合い、モノクロ／カラーなどのパラメータ）を取得する。また、番組パラメータ取得手段１０３１は、番組出力手段１０５１が出力する番組の音声データを用いて、例えば、音量、音色、モノラル／ステレオなどの番組の音声パラメータを取得する。
【００９５】
（ステップＳ４０５）補助情報送信指示送信部１０６は、番組受信部１０１Ａが受信した番組識別情報を含む補助情報送信指示をサーバ２に送信する。具体的には、補助情報送信指示送信部１０６は、番組識別情報格納部から番組識別情報を読み出し、補助情報送信指示のコマンドとともにサーバ２に送信する。
【００９６】
（ステップＳ４０６）補助情報受信部１０２Ａは、補助情報送信指示送信部１０６による補助情報送信指示に応じてサーバ２から補助情報が送信されると、その補助情報を受信し、バッファメモリに保存する。
【００９７】
（ステップＳ４０７）補助情報パラメータ取得手段１０３２は、補助情報受信部１０２Ａが受信した補助情報の補助情報パラメータを取得する。補助情報パラメータ取得手段１０３２は、補助情報出力手段１０５２が出力する補助情報の映像データを用いて、例えば、字幕や手話映像の明るさや色合いなどの映像パラメータを取得し、同補助情報の音声データを用いて、例えば、音量、音色、モノラル／ステレオなどの音声パラメータを取得する。
【００９８】
（ステップＳ４０８）パラメータ変更部１０４は、番組パラメータ取得手段１０３１が取得した番組の番組パラメータを用いた補助情報パラメータの変更と補助情報パラメータ取得手段１０３２が取得した補助情報パラメータを用いた番組パラメータの変更のいずれか一方若しくは両方を行う。パラメータ変更部１０４は、例えば、補助情報受信部１０２Ａがサーバ２から字幕の補助情報を受信した場合、例えば、番組の当該字幕が重畳される部分の映像パラメータ（コンテンツパラメータ）を用いて、字幕の明るさや色合いなどのパラメータを変更する。
【００９９】
また、パラメータ変更部１０４は、補助情報受信部１０２Ａがサーバ２から補助音声の補助情報を受信した場合、例えば、補助音声の音量、音色、モノラル／ステレオなどのパラメータを用いて、番組の音声の音量、音色、モノラル／ステレオなどのパラメータを変更する。
【０１００】
（ステップＳ４０９）出力部１０５の番組出力手段１０５１は、パラメータ変更部１０４が変更した番組パラメータを用いて、番組受信部１０１が受信した番組を出力する。例えば、パラメータ変更部１０４が番組の映像の明るさを変更した場合、番組出力手段１０５１は、変更された明るさで番組の映像を出力する。また、パラメータ変更部１０４が、例えば、番組の音声をモノラル出力に変更した場合、番組出力手段１０５１は、番組の音声を一対のスピーカーの一方からモノラル出力する。
【０１０１】
（ステップＳ４１０）出力部１０５の補助情報出力手段１０５２は、パラメータ変更部１０４が変更した補助情報パラメータを用いて、補助情報を出力する。例えば、パラメータ変更部１０４が字幕のコンテンツパラメータを変更した場合、補助情報出力手段１０５２は、変更された字幕のコンテンツパラメータを用いて、字幕を出力する。例えば、字幕の表示色のパラメータの標準値が黒地に白色の文字で描くように設定されている場合にパラメータ変更部１０４が、例えば、標準値を灰色地に黄色の文字で描くように変更した場合、補助情報出力手段１０５２は、変更後の表示態様で字幕の画像を作成し、その字幕の画像を番組の映像に重畳してディスプレイに出力する。
【０１０２】
また、例えば、パラメータ変更部１０４が補助音声の音量を標準値よりも小さくするように変更した場合、補助情報出力手段１０５２は、スピーカーから標準値よりも小さい音量で補助音声を出力する。
【０１０３】
（ステップＳ４１１）補助情報受信部１０２Ａは、番組識別情報に対応付けられた全ての補助情報を受信したか否かを判別する。全ての補助情報を受信していなければ（Ｓ４１１：Ｎ）、ステップＳ４０５に戻り、全ての補助情報を受信していれば（Ｓ４１１：Ｙ）、ステップＳ４１２に進む。
【０１０４】
（ステップＳ４１２）番組受信部１０１と補助情報受信部１０２は、電源がＯＦＦになったか否かを判断する。電源がＯＦＦになっていないときは（Ｓ４１２：Ｎ）、ステップＳ４０２に戻り、電源がＯＦＦになったときは（Ｓ４１２：Ｙ）、番組と補助情報の出力処理を終了する。
【０１０５】
（具体例１）
次に、番組出力装置１Ａ，１Ｂにおける番組と補助情報の出力動作の具体例について説明する。
【０１０６】
実施の形態２の番組出力装置１Ｂは、実施の形態１の番組出力装置１Ａに対して補助情報の受信方法が異なるだけで、受信した番組の１以上の番組パラメータと受信した補助情報の１以上の補助情報パラメータのいずれか一方を用いて、他方のパラメータを変更し、番組パラメータが変更されている場合は、変更した１以上の番組パラメータを用いて番組を出力し、補助情報パラメータが変更されている場合は、変更した１以上の補助情報パラメータを用いて補助情報を出力する構成は共通している。
【０１０７】
以下の説明では、実施の形態１の番組出力装置１Ａについて、番組と補助情報の出力動作の具体例について説明し、実施の形態２の番組出力装置１Ｂについては、番組出力装置１Ａに対して番組および補助情報の出力動作が相違する内容について言及し、共通する内容については説明を省略する。
【０１０８】
また、具体例１では、番組出力装置１Ａが補助情報として番組に対応付けられた字幕の情報を受信し、その字幕を番組映像に重畳して出力する場合を例に説明する。特に、番組映像の字幕が重畳される領域の明るさや色合いのパラメータによって字幕の出力に関するパラメータ（以下、「字幕パラメータ」という。）を変更し、変更後の字幕パラメータを用いて字幕を出力する例について説明する。
【０１０９】
図５は、番組の映像に字幕を重畳して番組出力装置１Ａのディスプレイ１０７に表示した一例を示す図である。
【０１１０】
番組出力装置１Ａのディスプレイ１０７は、ハイビジョンサイズ（アスペクト比が１６：９）の表示画面１０７Ａを有し、表示画面１０７Ａの下部の両端部にスピーカー１０８（Ｌ），１０８（Ｒ）（（Ｒ）は正面から見て右側に配置されたスピーカーを示し、（Ｌ）は左側に配置されたスピーカーを示す。）が設けられている。
【０１１１】
番組出力装置１Ａには、番組映像ＧＢの画質を調整するための調整項目が設けられている。番組映像ＧＢの画質を調整するための調整項目は、例えば、色温度、黒レベル、白レベル、色の濃さ、色あい、シャープネスなどの項目である。ディスプレイ１０７がバックライト方式の場合は、バックライトの明るさを調整する項目も画質を調整するための調整項目に含まれる。
【０１１２】
番組映像ＧＢの色温度、黒レベル、白レベル、色の濃さ、色あい、シャープネスなどの画質調整用の項目は、パラメータ取得部１０３が取得する番組パラメータ（コンテンツパラメータ）であり、パラメータ変更部１０４が変更対象とする番組パラメータである。番組映像ＧＢの画質調整用の各項目の標準値は、番組出力装置１Ａの製品出荷時にメーカーによりディフォルト値として予め設定されている。
【０１１３】
字幕ＧＪは、例えば、帯状の背景部分ＧＪ１と当該背景部分ＧＪ１上に記載される文字の部分ＧＪ２とで構成されている。なお、背景部分ＧＪ１を有しない、文字部分ＣＪ２だけの字幕もある。字幕ＧＪの字幕パラメータは、例えば、字幕ＧＪの大きさ（一行／二行または一列／二列）、背景部分ＧＪ１の色、字幕部分ＧＪ２の色、表示画面１０７Ａにおける字幕ＧＪの表示位置、字幕ＧＪの向き（縦書き／横書き）などのパラメータである。
【０１１４】
字幕パラメータの標準値は、例えば、字幕ＧＪの表示位置＝表示画面１０７Ａの下部中央、字幕ＧＪの向き＝横書き、字幕ＧＪの大きさ＝一行表示、背景部分ＧＪ１の色＝半透明の黒、文字部分ＣＪ２の色＝白などであり、番組出力装置１Ａの製品出荷時にメーカーによりディフォルト値として予め設定されている。
【０１１５】
１つの番組に対する字幕ＧＪは、通常、複数個の字幕ＧＪ(1)，ＧＪ(2)，…ＧＪ(n)（（ｎ）は、字幕ＧＪを識別するための番号)で構成されている。各字幕ＧＪ(i)（ｉ＝１，２，…ｎ）には、図６に示すように、字幕ＩＤ、番組ＩＤ、出力タイム(番組内の出力開始時間と出力終了時間)、字幕テキストおよび字幕パラメータの情報が含まれている。
【０１１６】
図６において、字幕ＩＤは、各字幕ＧＪ(i)を識別するために各字幕(i)に付与された固有の識別子である。番組ＩＤは、各字幕ＧＪ(i)が対応付けられている番組を識別するための識別子である。出力タイムは、各字幕ＧＪ(i)の番組内における各字幕ＧＪ(i)の出力位置であり、出力開始時間ｔｓ(i)と出力終了時間ｔｅ(i)で定義されている。
【０１１７】
なお、ｔｓ(i),ｔｅ(i)の（ｉ）は、字幕ＧＪ(i)の(i)に対応していることを示している。例えば、字幕ＩＤ＝ＰＮ０１の出力タイム（ｔｓ(1),ｔｅ(1)）は、番組ＩＤ「ｘｘ１１」の番組内における１番目の字幕ＧＪ(1)の出力タイムであることを示し、字幕ＩＤ＝ＰＮ０２の出力タイム（ｔｓ(2),ｔｅ(2)）は、番組ＩＤ「ｘｘ１１」の番組内における２番目の字幕ＧＪ(2)の出力タイムであることを示している。
【０１１８】
字幕ＩＤ＝ＰＮ０１の出力タイム（ｔｓ(1),ｔｅ(1)）と字幕ＩＤ＝ＰＮ５１の出力タイム（ｔｓ(1),ｔｅ(1)）は、同一の表記となっているが、字幕ＩＤ「ＰＮ０１」の字幕ＧＪ(1)の番組ＩＤ「ｘｘ１１」の番組内における出力時刻が字幕ＩＤ「ＰＮ５１」の字幕ＧＪ(1)の番組ＩＤ「ｘｘ１２」の番組内における出力時刻と同一という意味ではない。
【０１１９】
字幕テキストは、文字表記される字幕の内容である。短い文は、その文全体が１つの字幕とされるが（図６のＰＮ０３，ＰＮ５０などの字幕テキスト参照）、長い文は、例えば、読点で分割され、分割された各文が１つの字幕とされている（図６のＰＮ０１，ＰＮ０２，ＰＮ５１，ＰＮ５２などの字幕テキスト参照）
【０１２０】
字幕パラメータは、字幕テキストを番組出力装置１Ａのディスプレイ１０７に字幕ＧＪの態様で出力させるためのパラメータである。字幕パラメータには、上述した標準値が設定されている。
【０１２１】
なお、「背景色」は背景部分ＧＪ１の色、「文字色」は字幕部分ＧＪ２の色、「一行表示」は字幕ＧＪの大きさ（一行／二行または一列／二列の大きさ）と字幕ＧＪの向き（縦書き／横書き）、表示位置は表示画面１０７Ａにおける字幕ＧＪの表示位置に相当している。「一行表示」は、字幕テキストを横書き一行表示で出力することを示し、「表示位置：下」は表示画面１０７Ａの下部中央に表示することを示している。
【０１２２】
次に、番組の映像に字幕を重畳して出力する際、番組の出力に関する番組パラメータ（主としてコンテンツパラメータと音声パラメータ）を用いて字幕の出力に関する字幕パラメータを変更し、変更後の字幕パラメータを用いて字幕を出力する場合の例について説明する。
【０１２３】
以下の説明では、番組出力装置１Ａの電源がＯＮになり、番組受信部１０１が受信を開始するときのチャネル番号では、番組ＩＤ「ｘｘ１１」を有する番組名「イロハ」の番組（以下、「番組イロハ」という。）が放送されているものとし、放送局から番組ＩＤ「ｘｘ１１」に対応付けられた字幕の情報が送信されるものとする。
【０１２４】
番組出力装置１Ａの電源がＯＮになり、番組受信部１０１がチャネル番号で放送されている番組イロハの受信を開始すると、番組受信部１０１は、番組ＩＤ「ｘｘ１１」を有する番組イロハを受信し、復調して得られる映像と音声を、例えば、フレーム単位で順次、番組格納部に一時的に格納する。
【０１２５】
また、補助情報受信部１０２は、同チャネル番号で送信される番組ＩＤ「ｘｘ１１」に対応付けられた補助情報（字幕情報）を順次、受信し、復調して得られる字幕情報を補助情報格納部に一時的に格納する。
【０１２６】
番組受信部１０１が番組イロハを受信すると、出力部１０５の番組出力手段１０５１は、番組格納部に格納された番組イロハの映像と音声を格納順に読み出して映像をディスプレイ１０７に表示し、音声をスピーカー１０８（Ｌ），１０８（Ｒ）から出力する。このとき、番組出力手段１０５１は、番組イロハの映像と音声を番組パラメータの標準値で出力する。すなわち、番組受信部１０１が受信した番組イロハの映像がワイドサイズのアスペクト比を有していれば、番組出力手段１０５１は、その映像をディスプレイ１０７の表示画面１０７Ａ全体に出力する。また、同番組イロハの音声がステレオ音声であれば、番組出力手段１０５１は、その音声をスピーカー１０８（Ｌ），１０８（Ｒ）からステレオ出力する。
【０１２７】
番組受信部１０１による番組イロハの受信動作と出力部１０５の番組出力手段１０５１による番組イロハの出力動作が開始されると、番組パラメータ取得手段１０３１は、番組出力手段１０５１が出力する番組映像ＧＢのうち、表示画面１０７Ａ内の字幕ＧＪが出力される領域（以下、「字幕出力領域」という。）にある部分のピクセルのデータを取得する。番組パラメータ取得手段１０３１は、例えば、取得したピクセルのデータの平均値を算出することにより、番組のコンテンツパラメータとして番組映像ＧＢの字幕出力領域の明るさや色合いの情報を取得する。
【０１２８】
補助情報受信部１０２が字幕情報を受信すると、出力部１０５の補助情報出力手段１０５２は、補助情報格納部に格納された字幕情報を格納順に読み出し、当該字幕情報に含まれる字幕テキストと字幕パラメータ（標準値）を用いて字幕ＧＪの画像を作成する。また、補助情報出力手段１０５２による字幕ＧＪの出力動作が開始されると、補助情報パラメータ取得手段１０３２は、字幕の情報から字幕パラメータ（標準値）を取得する。また、補助情報パラメータ取得手段１０３２は、補助情報出力手段１０５２から出力される字幕ＧＪのピクセルのデータを取得し、そのデータの平均値を算出することにより、字幕ＧＪの明るさや色合いの情報を取得する。
【０１２９】
パラメータ変更部１０４は、番組パラメータ取得手段１０３１が取得した番組パラメータを用いて、字幕パラメータを変更する。パラメータ変更部１０４は、例えば、番組パラメータ取得手段１０３１が取得した番組映像ＧＢの字幕出力領域の明るさや色合いの情報と、補助情報パラメータ取得手段１０３２が取得した字幕ＧＪの明るさや色合いの情報とを比較し、両者の差が所定の閾値以上であるか否かを判別する。そして、両者の差が所定の閾値よりも小さい場合は、字幕ＧＪが見辛いと判断し、補助情報格納部に格納されている字幕情報に含まれる字幕パラメータを変更する。
【０１３０】
例えば、パラメータ変更部１０４は、字幕ＧＪの背景部分ＧＪ１の色を標準値の黒から灰色に変更し、番組映像ＧＢの字幕出力領域に対する字幕ＧＪの背景部分ＧＪ１の濃度の差が閾値以上になるようにする。すなわち、パラメータ変更部１０４は、番組映像ＧＢの字幕出力領域に対する字幕ＧＪの背景部分ＧＪ１のコントラストを高くする。この場合、パラメータ変更部１０４は、字幕ＧＪの文字部分ＣＪ２の色を標準値の白から黄色などの有彩色に変更し、変更後の背景部分ＧＪ１に対して文字部分ＣＪ２を見え易くするようにしてもよい。
【０１３１】
パラメータ変更部１０４が字幕の字幕パラメータを変更すると、補助情報出力手段１０５２は、字幕情報に含まれる字幕テキストと変更後の字幕パラメータを用いて字幕ＧＪの画像を作成する。これにより、字幕ＧＪの画像は、図７に示すように、背景部分ＧＪ１が透明な灰色で文字部分ＣＪ２が白若しくは黄色の字幕ＧＪの画像に変更される。なお、図７では、作図上、文字部分ＣＪ２を黒字で描いている。
【０１３２】
番組映像ＧＢに重畳して出力される字幕ＧＪの番組映像ＧＢに対する明るさや色合いの差が小さくなる場合、パラメータ変更部１０４が字幕ＧＪの字幕パラメータを変更して字幕ＧＪの番組映像ＧＢに対する明るさや色合いの差を大きくするので、字幕ＧＪが見え辛くなるということを低減することができる。
【０１３３】
上記の例では、字幕ＧＪの背景部分ＧＪ１や文字部分ＣＪ２の明るさや色合いを変更しているが、例えば、番組映像ＧＢの字幕出力領域が字幕ＧＪによって遮られ、当該字幕出力領域の色彩や模様などが見え辛くなるようなシーンでは、幕ＧＪの表示画面１０７Ａ内における表示位置や表示方向を変更するようにしてよい。
【０１３４】
この場合は、番組パラメータ取得手段１０３１は、例えば、番組映像ＧＢの字幕出力領域におけるピクセルのデータの色分布を算出することにより、番組パラメータとして番組映像ＧＢの字幕出力領域における配色の情報を取得する。パラメータ変更部１０４は、番組パラメータ取得手段１０３１が取得した番組映像ＧＢの字幕出力領域における色分布を解析し、その解析結果により表示画面１０７Ａ内における字幕ＧＪの表示位置や表示方向を標準的な表示位置や表示方向から変化させるべきか否かを判断する。
【０１３５】
そして、パラメータ変更部１０４は、表示画面１０７Ａ内における字幕ＧＪの表示位置や表示方向を変化すべきと判断すると、字幕ＧＪの表示画面１０７Ａ内における字幕ＧＪの表示位置や表示方向の番組パラメータを変更する。パラメータ変更部１０４は、字幕ＧＪの表示位置や表示方向の番組パラメータを、例えば、表示画面１０７Ａの右側若しくは左側の端部の中央に縦一列で表示させる表示態様に変更する。
【０１３６】
パラメータ変更部１０４が字幕の字幕パラメータを変更すると、補助情報出力手段１０５２は、字幕の情報に含まれる字幕テキストと変更後の字幕パラメータを用いて字幕ＧＪの画像を作成する。これにより、字幕ＧＪの画像は、図８に示すように、例えば、表示画面１０７Ａの右側の端部の中央に文字が縦一列となる態様で表示される。
【０１３７】
番組映像ＧＢの字幕出力領域の色彩や模様などが字幕ＧＪによって遮られる場合、パラメータ変更部１０４が字幕ＧＪの字幕パラメータを変更して表示画面１０７Ａ内における字幕ＧＪの表示位置や表示方向を変更するので、番組映像ＧＢを見え辛くなるということを低減することができる。
【０１３８】
なお、番組映像ＧＢが標準サイズ（アスペクト比が４：３）を有し、当該番組映像ＧＢが左右にサイドバーを設けて表示画面１０７Ａの中央部に表示される場合も、表示画面１０７Ａ内における字幕ＧＪの表示位置や表示方向を標準位置から左右のサイドバーの表示領域に変更するようにするとよい。
【０１３９】
この場合は、番組パラメータ取得手段１０３１は、例えば、番組受信部１０１が受信した番組の番組関連情報に含まれる番組映像のアスペクト比の情報を取得し、パラメータ変更部１０４が、そのアスペクト比の情報を用いて表示画面１０７Ａ内における字幕ＧＪの表示位置や表示方向を標準的な表示位置や表示方向から変化すべきか否かを判断する。
【０１４０】
そして、パラメータ変更部１０４は、表示画面１０７Ａ内における字幕ＧＪの表示位置や表示方向を変化すべきと判断すると、表示画面１０７Ａ内における字幕ＧＪの表示位置や表示方向の番組パラメータを変更する。パラメータ変更部１０４は、字幕ＧＪの表示位置や表示方向の番組パラメータを、例えば、表示画面１０７Ａの右側若しくは左側のサイドバーが作成される領域内に縦一列で表示させる表示態様に変更する。
【０１４１】
パラメータ変更部１０４が字幕の字幕パラメータを変更すると、補助情報出力手段１０５２は、字幕の情報に含まれる字幕テキストと変更後の字幕パラメータを用いて字幕ＧＪの画像を作成する。これにより、字幕ＧＪの画像は、図９に示すように、例えば、表示画面１０７Ａの右側のサイドバーの領域に文字が縦一列となる態様で表示される。
【０１４２】
以上のように、具体例１によれば、番組の映像に字幕を重畳してディスプレイ１０７の表示画面１０７Ａに表示する場合、番組の番組パラメータを用いて字幕の１以上の字幕パラメータを変更し、変更後の字幕パラメータを用いて字幕ＧＪを出力するので、表示画面１０７Ａの字幕出力領域における番組映像ＧＢ若しくは字幕ＧＪが見え辛くなる状態を低減することができる。
【０１４３】
（具体例２）
次に、具体例２として、番組出力装置１Ａが補助情報として番組に対応付けられた手話映像の情報を受信し、その手話映像を番組の映像とともに出力する場合の例について説明する。
【０１４４】
具体例２では、番組のジャンルによって手話映像の出力に関するパラメータ（以下、「手話映像パラメータ」という。）を変更し、変更後の手話映像パラメータを用いて手話映像を出力する例について説明する。
【０１４５】
図１０は、番組出力装置１Ａのディスプレイに番組の映像と手話映像を表示した一例を示す図である。
【０１４６】
図１０の例では、表示画面１０７Ａの左下隅に矩形の手話表示領域１０７Ｂが設けられ、その手話表示領域１０７Ｂに手話映像ＧＳ（動画）が表示され、表示画面１０７Ａの手話表示領域１０７Ｂ以外の領域に番組映像ＧＢが表示されている。
【０１４７】
番組出力装置１Ａに、表示画面１０７Ａに表示される番組映像ＧＢの画質を調整するための調整項目が設けられている点は具体例１の場合と同様である。
【０１４８】
手話映像ＧＳは、例えば、手話翻訳者が番組映像ＧＢに関する説明や番組映像ＧＢに登場する話者の内容を手話に翻訳する動作を示す映像である。手話映像ＧＳは番組全体に対して１本の映像で構成される場合と、番組全体に対して２本以上の映像で構成される場合がある。後者の場合の事例としては、例えば、情報番組で番組内の特定の時間帯に解説者が登場して解説するシーンがある場合、そのシーンのときにだけ手話映像が表示されるケースが考えられる。
【０１４９】
手話映像ＧＳは、通常、標準サイズ（アスペクト比が４：３）で作成されている。手話映像パラメータは、例えば、手話映像ＧＳの大きさ、手話映像ＧＳの画質に関する項目（例えば、明るさや色合いなどの項目）、表示画面１０７Ａにおける表示位置などのパラメータである。
【０１５０】
手話映像パラメータの標準値は、例えば、手話映像ＧＳの表示位置＝表示画面１０７Ａの左下隅、手話映像ＧＳの大きさ＝Ｘ×Ｙ（ドット）、手話映像ＧＳの画質＝標準値などであり、番組出力装置１Ａの製品出荷時にメーカーによりディフォルト値として予め設定されている。
【０１５１】
手話映像ＧＳには、図１１に示すように、手話ＩＤ、番組ＩＤ、手話映像名、出力タイム(番組内の出力開始時間と出力終了時間)および手話映像パラメータの情報が含まれている。
【０１５２】
図１１において、手話ＩＤは、手話映像ＧＳを識別するために各手話映像ＧＳに付与された固有の識別子である。番組ＩＤは、手話映像ＧＳが対応付けられている番組を識別するための識別子である。
【０１５３】
手話映像名は、手話映像ＧＳのデータファイルに付与されている名称である。なお、「ＡＡＡ＿１」、「ＡＡＡ＿２」などの手話映像名は、「ＡＡＡ」が手話映像名で、「＿１」，「＿２」は、枝番号である。これらの手話映像名は、１つの番組に対して２以上の手話映像が対応付けられている場合に、手話映像名「ＡＡＡ」に枝番号「１」，「２」を付して、同一番組に対応付けられた複数の手話映像の識別をするためのものである。
【０１５４】
出力タイムは、手話映像ＧＳの番組内における時間的な出力位置であり、出力開始時間ｔｓ(i)と出力終了時間ｔｅ(i)で定義されている。出力タイムは、１つの番組に対して複数の手話映像ＧＳが対応付けられている場合、各手話映像ＧＳを番組内における出力時刻に同期させて出力させるために設定されている。
【０１５５】
なお、ｔｓ(i),ｔｅ(i)の（ｉ）は、番組に対応付けられている複数の手話映像ＧＳの順番ｉに対応するものであることを示している。例えば、手話ＩＤ＝ＱＮ０１の出力タイム（ｔｓ(1),ｔｅ(1)）は、番組ＩＤ「ｙｙ０１」の番組内における１番目の手話映像ＧＳ(1)の出力タイムであることを示し、手話ＩＤ＝ＱＮ０２の出力タイム（ｔｓ(2),ｔｅ(2)）は、番組ＩＤ「ｙｙ０１」の番組内における２番目の手話映像ＧＳ(2)の出力タイムであることを示している。
【０１５６】
例えば、手話ＩＤ＝ＱＮ０１の出力タイム（ｔｓ(1),ｔｅ(1)）と手話字幕ＩＤ＝ＱＮ０３の出力タイム（ｔｓ(1),ｔｅ(1)）は、同一の表記となっているが、手話ＩＤ「ＱＮ０１」の手話映像ＧＳ(1)の番組ＩＤ「ｙｙ０１」の番組内における出力時刻が手話ＩＤ「ＱＮ０３」の手話映像ＧＳの番組ＩＤ「ｙｙ０３」の番組内における出力時刻と同一という意味ではない。
【０１５７】
手話映像パラメータは、手話映像ＧＳを番組出力装置１Ａのディスプレイ１０７に出力させるためのパラメータである。手話映像パラメータには、上述した標準値が設定されている。
【０１５８】
なお、「表示位置」は表示画面１０７Ａにおける手話映像ＧＳの表示位置を示している。「画像サイズ」は、手話映像ＧＳのアスペクト比を示し、「画質」は、表示画面１０７Ａに表示される手話映像ＧＳの画質（明るさや色合いなど）を示している。
【０１５９】
次に、表示画面１０７Ａ内に番組映像ＧＢと手話映像ＧＳを出力する際、番組の番組パラメータとして取得した番組のジャンルを用いて手話映像パラメータを変更し、変更後の手話映像パラメータを用いて手話映像を出力する場合の例について説明する。
【０１６０】
以下の説明でも、具体例１と同様に、番組受信部１０１は、番組出力装置１Ａの電源がＯＮになると、チャネル番号で放送されている番組ＩＤ「ｘｘ１１」を有する番組イロハの受信を開始し、補助情報受信部１０２は、その番番組イロハに対応付けられた手話映像の情報の受信を開始するものとする。
【０１６１】
番組受信部１０１が番組イロハを受信すると、出力部１０５の番組出力手段１０５１は、番組格納部に格納された番組イロハの映像と音声を格納順に読み出して映像をディスプレイ１０７に表示し、音声をスピーカー１０８（Ｌ），１０８（Ｒ）から出力する。このとき、番組出力手段１０５１は、番組イロハの映像と音声を番組パラメータの標準値で出力する。すなわち、番組受信部１０１が受信した番組イロハの映像がワイドサイズのアスペクト比を有していれば、番組出力手段１０５１は、その映像をディスプレイ１０７の表示画面１０７Ａ全体に出力する。また、同番組イロハの音声がステレオ音声であれば、番組出力手段１０５１は、その音声をスピーカー１０８（Ｌ），１０８（Ｒ）からステレオ出力する。
【０１６２】
番組受信部１０１による番組イロハの受信動作と出力部１０５の番組出力手段１０５１による番組イロハの出力動作が開始されると、番組パラメータ取得手段１０３１は、番組受信部１０１が受信した番組イロハの番組関連情報に含まれる、例えば、番組のジャンルを番組パラメータとして取得する。
【０１６３】
補助情報受信部１０２が手話映像の情報を受信すると、出力部１０５の補助情報出力手段１０５２は、補助情報格納部に格納された手話映像の情報を格納順に読み出し、当該手話映像の情報に含まれる手話映像のファイルと手話映像パラメータ（標準値）を用いて手話映像ＧＳ（動画）を作成する。また、補助情報出力手段１０５２による手話映像ＧＳの出力動作が開始されると、補助情報パラメータ取得手段１０３２は、手話映像の情報から手話映像パラメータ（標準値）を取得する。
【０１６４】
パラメータ変更部１０４は、番組パラメータ取得手段１０３１が取得した番組パラメータ（番組のジャンル）を用いて、手話映像パラメータを変更する。パラメータ変更部１０４は、例えば、番組パラメータ取得手段１０３１が取得した番組のジャンルがスポーツ番組の場合、手話映像ＧＳによって番組映像ＧＢが見え辛くならないようにするために、補助情報格納部に格納されている手話映像の情報に含まれる手話映像パラメータを変更する。
【０１６５】
例えば、パラメータ変更部１０４は、手話映像ＧＳの大きさを標準値から所定の割合だけ小さくしたサイズに変更する。パラメータ変更部１０４が手話映像の手話映像パラメータを変更すると、補助情報出力手段１０５２は、手話映像の情報に含まれる手話映像のデータと変更後の手話映像パラメータを用いて手話映像ＧＳを作成する。これにより、表示画面１０７Ａの手話表示領域１０７Ｂに表示される手話映像ＧＳの大きさは、図１２に示すように、標準値の大きさよりも小さいサイズで表示される。
【０１６６】
視聴者が番組映像ＧＢの全体に注目するようなスポーツ番組の場合、パラメータ変更部１０４が手話映像ＧＳの手話映像パラメータを変更して手話映像ＧＳの表示画面１０７Ａ内の手話表示領域１０７Ｂの大きさを小さくするので、手話映像ＧＳが番組映像ＧＢを見え辛くすることを低減することができる。
【０１６７】
上記の例では、表示画面１０７Ａ内の手話表示領域１０７Ｂの大きさを標準値よりも小さいサイズに変更しているが、例えば、放映される番組映像が競技場を俯瞰した映像となる場合は、表示画面１０７Ａ内の手話表示領域１０７Ｂの位置を、例えば、左下隅から左上隅などに移動させるようにしてもよい。
【０１６８】
上記の例では、表示画面１０７Ａにおける手話映像ＧＳの大きさを変更したり、手話映像ＧＳの表示位置を変更したりする例を説明したが、例えば、ニュース番組の場合には、手話映像Ｇの明るさを標準値よりも大きくし（明るくし）、手話映像ＧＳを見え易くするようにしてもよい。この場合、併せて表示画面１０７Ａにおける手話映像ＧＳの大きさも標準値より大きくするようにしてもよい。
【０１６９】
また、上記の例では、番組のジャンルを番組パラメータとして手話映像の手話映像パラメータを変更するようにしているが、番組のコンテンツパラメータを用いて手話映像の手話映像パラメータ（特に手話映像のコンテンツパラメータ）を変更するようにしてもよい。
【０１７０】
以上のように、具体例２によれば、番組の映像と手話映像をディスプレイ１０７の表示画面１０７Ａに表示する場合、番組の番組パラメータを用いて手話映像の１以上の手話映像パラメータを変更し、変更後の手話映像パラメータを用いて手話映像ＧＳを出力するので、表示画面１０７Ａに同時に表示される番組映像ＧＢ若しくは手話映像ＧＳが見え辛くなる状態を低減することができる。
【０１７１】
（具体例３）
次に、具体例３として、番組出力装置１Ａが補助情報として番組に対応付けられた補助音声の情報を受信し、その補助音声を番組の音声とともに出力する場合の例について説明する。
【０１７２】
番組出力装置１Ａには、音量や音声出力位置などの音声出力の調整に関する項目が設けられている。音量を調整する項目には、スピーカー１０８（Ｒ）から出力する音量とスピーカー１０８（Ｌ）から出力する音量をそれぞれ調整する項目が含まれる。音声出力位置を調整する項目には、番組の音声を出力するためのスピーカー１０８としてスピーカー１０８（Ｌ）とスピーカー１０８（Ｒ）の両方若しくはいずれか一方を使用する選択をする項目や補助音声を出力するためのスピーカー１０８としてスピーカー１０８（Ｌ）とスピーカー１０８（Ｒ）の両方若しくはいずれか一方を使用する選択をする項目が含まれる。
【０１７３】
番組の音声の出力に関するパラメータは、例えば、当該音声がステレオの場合は、スピーカー１０８（Ｌ），１０８（Ｒ）の両方を用いてステレオ出力し、当該音声がモノラルの場合は、スピーカー１０８（Ｌ），１０８（Ｒ）の両方を用いてモノラル出力するように標準値が設定されている。補助音声の出力に関するパラメータは、例えば、番組の音声が出力されていない場合、スピーカー１０８（Ｌ），１０８（Ｒ）の両方を用いて補助音声を出力するように標準値が設定されている。
【０１７４】
また、番組の音声と補助音声を同時に出力する場合、例えば、番組の音声の出力に関するパラメータは、スピーカー１０８（Ｌ），１０８（Ｒ）のいずれか一方のスピーカーから番組の音声を出力し、補助音声の出力に関するパラメータは、他方のスピーカーから補助音声を出力するように、標準値が設定されている。
【０１７５】
番組の音声と補助音声の出力に関する各パラメータの標準値は、番組出力装置１Ａの製品出荷時にメーカーによりディフォルト値として予め設定されている。
【０１７６】
１つの番組に対する補助音声は、通常、複数個の補助音声で構成されている。各補助音声には、図１３に示すように、補助音声ＩＤ、番組ＩＤ、手話映像名、出力タイム(番組内の出力開始時間と出力終了時間)および補助音声パラメータの情報が含まれている。
【０１７７】
図１３において、補助音声ＩＤは、補助音声を識別するために各補助音声のデータに付与された固有の識別子である。番組ＩＤは、補助音声が対応付けられている番組を識別するための識別子である。
【０１７８】
補助音声名は、補助音声のデータファイルに付与されている名称である。なお、「ａａａ＿１」、「ａａａ＿２」、「ａａａ＿３」などの補助音声名は、「ａａａ」が補助音声名で、「＿１」，「＿２」，「＿３」は、枝番号である。これらの補助音声名は、１つの番組に対して２以上の補助音声が対応付けられている場合に、補助音声名「ａａａ」に枝番号「１」，「２」，「３」を付して、同一番組に対応付けられた複数の補助音声の識別をするためのものである。
【０１７９】
出力タイムは、補助音声の番組内における時間的な出力位置であり、出力開始時間ｔｓ(i)と出力終了時間ｔｅ(i)で定義されている。出力タイムは、１つの番組に対して複数の補助音声が対応付けられている場合、各補助音声を番組内における出力時刻に同期させて出力させるために設定されている。
【０１８０】
なお、ｔｓ(i),ｔｅ(i)の（ｉ）は、番組に対応付けられている複数の補助音声の順番ｉに対応するものであることを示している。例えば、補助音声ＩＤ＝ＲＮ０１の出力タイム（ｔｓ(1),ｔｅ(1)）は、番組ＩＤ「ｚｚ０１」の番組内における１番目の補助音声の出力タイムであることを示し、補助音声ＩＤ＝ＲＮ０２の出力タイム（ｔｓ(2),ｔｅ(2)）は、番組ＩＤ「ｚｚ０１」の番組内における２番目の補助音声の出力タイムであることを示している。
【０１８１】
例えば、補助音声ＩＤ＝ＲＮ０１の出力タイム（ｔｓ(1),ｔｅ(1)）と補助音声ＩＤ＝ＲＮ１０の出力タイム（ｔｓ(1),ｔｅ(1)）は、同一の表記となっているが、補助音声ＩＤ「ＲＮ０１」の補助音声の番組ＩＤ「ｚｚ０１」の番組内における出力時刻が補助音声ＩＤ「ＲＮ１０」の補助音声の番組ＩＤ「ｚｚ１０」の番組内における出力時刻と同一という意味ではない。
【０１８２】
補助音声パラメータは、補助音声を番組出力装置１Ａのスピーカー１０８から出力させるためのパラメータである。補助音声パラメータには、上述した標準値が設定されている。
【０１８３】
なお、「単独：Ｌ／Ｒ」は、単独で補助音声を出力する場合、スピーカー１０８（Ｌ），１０８（Ｒ）の両方のスピーカーから出力することを示している。
【０１８４】
次に、スピーカー１０８（Ｌ），１０８（Ｒ）を用いて番組の音声と補助情報を同時に出力する際、番組パラメータの番組音声の出力に関するパラメータを用いて補助音声の出力に関する補助音声パラメータを変更し、変更後の補助音声パラメータを用いて補助音声を出力する場合の例について説明する。
【０１８５】
以下の説明でも、具体例１と同様に、番組受信部１０１は、番組出力装置１Ａの電源がＯＮになると、チャネル番号で放送されている番組ＩＤ「ｚｚ０１」を有する番組の受信を開始し、補助情報受信部１０２は、その番組に対応付けられた補助音声の情報の受信を開始するものとする。
【０１８６】
番組受信部１０１が番組を受信すると、出力部１０５の番組出力手段１０５１は、番組格納部に格納された番組の映像と音声を格納順に読み出して映像をディスプレイ１０７に表示し、音声をスピーカー１０８（Ｌ），１０８（Ｒ）から出力する。このとき、番組出力手段１０５１は、番組の映像と音声を番組パラメータの標準値で出力する。すなわち、番組受信部１０１が受信した番組の映像がワイドサイズのアスペクト比を有していれば、番組出力手段１０５１は、その映像をディスプレイ１０７の表示画面１０７Ａ全体に出力する。また、同番組の音声がステレオ音声であれば、番組出力手段１０５１は、その音声をスピーカー１０８（Ｌ），１０８（Ｒ）からステレオ出力する。
【０１８７】
番組受信部１０１による番組の受信動作と出力部１０５の番組出力手段１０５１による番組の出力動作が開始されると、番組パラメータ取得手段１０３１は、番組受信部１０１が受信した番組の音声の出力に関するパラメータを取得する。
【０１８８】
補助情報受信部１０２が補助音声の情報を受信すると、出力部１０５の補助情報出力手段１０５２は、補助情報格納部に格納された補助音声の情報を格納順に読み出し、番組出力手段１０５１が出力している番組の経過時間が当該補助音声の情報に含まれる出力タイムになると、補助音声のファイルを再生し、補助音声パラメータ（標準値）を用いてスピーカー１０８（Ｌ），１０８（Ｒ）から出力する。また、補助情報出力手段１０５２による補助音声の出力動作が開始されると、補助情報パラメータ取得手段１０３２は、補助音声の情報から補助音声パラメータ（標準値）を取得する。
【０１８９】
パラメータ変更部１０４は、番組パラメータ取得手段１０３１が取得した番組音声の出力に関するパラメータを用いて、補助音声の出力に関するパラメータを変更する。パラメータ変更部１０４は、例えば、補助音声を聞き易くするために、補助情報格納部に格納されている補助音声の情報に含まれる補助音声パラメータを変更する。
【０１９０】
例えば、パラメータ変更部１０４は、補助音声の音量を標準値から所定の割合だけ大きい音量に変更し、補助音声を出力するスピーカーを、例えば、左側のスピーカー１０８（Ｌ）に変更する。なお、補助音声をより聞き易くするために、パラメータ変更部１０４は、番組音声の音量を標準値から所定の割合だけ小さい音量に変更し、番組音声を出力するスピーカーを右側のスピーカー１０８（Ｒ）に変更してもよい。
【０１９１】
パラメータ変更部１０４が補助音声の出力に関する各パラメータを変更すると、補助情報出力手段１０５２は、補助音声の音量を標準値から所定の割合だけ大きくした音量で、左側のスピーカー１０８（Ｌ）から出力する。なお、パラメータ変更部１０４が番組音声の出力に関するパラメータを上記のように変更した場合は、番組出力手段１０５１は、番組の音声の音量を標準値から所定の割合だけ小さくした音量で、右側のスピーカー１０８（Ｒ）から出力する。
【０１９２】
これにより、番組出力装置１Ａでは、補助音声が左側のスピーカー１０８（Ｌ）から標準値より大きい音量で出力される。なお、番組音声の出力に関するパラメータも上記のように変更され場合、番組出力装置１Ａでは、図１４に示すように、番組の音声が右側のスピーカー１０８（Ｒ）から標準値より小さい音量で出力され、補助音声が左側のスピーカー１０８（Ｌ）から標準値より大きい音量で出力される。
【０１９３】
上記のように、補助音声が番組音声と同時に出力される場合、パラメータ変更部１０４が補助音声の補助音声パラメータを変更して補助音声の音量を標準値より大きい音量でスピーカー１０８（Ｌ），（Ｒ）のいずれか一方から出力するので、視聴者に対して補助音声を聞き易くすることができる。また、番組音声の番組パラメータも変更して番組音声の音量を標準値より小さい音量でスピーカー１０８（Ｌ），（Ｒ）の他方から出力するので、視聴者に対して補助音声をより聞き易くすることができる。
【０１９４】
上記の例では、補助音声が番組音声と同時に出力される場合に番組音声の出力に関するパラメータを用いて補助音声の出力に関するパラメータを変更しているが、番組音声の出力に関するパラメータとして番組のジャンルを取得し、その番組のジャンルを用いて補助音声の出力に関するパラメータを変更するようにしてもよい。
【０１９５】
例えば、番組パラメータ取得手段１０３１が番組のジャンルとして芝居やオペラなどの芸術番組を取得した場合、演目や上演内容を解説した補助音声を聞き易くするために、上記のように、補助音声パラメータと番組音声の出力に関するパラメータを変更するようにしてもよい。
【０１９６】
上記の例では、補助音声が番組音声と同時に出力される場合、両方の音声を出力するようしているが、視聴者がスピーカー１０８（Ｌ）又はスピーカー１０８（Ｒ）の音声出力を消音（ミュート）できるようにしてもよい。このようにすれば、例えば、視聴者が番組音声を聞きたくなければ、番組音声が出力されるスピーカー１０８（Ｒ）の音声出力を消音することにより、補助音声を明瞭に聞くことができる。
【０１９７】
また、パラメータ変更部１０４が、番組パラメータ取得手段１０３１が取得した番組パラメータと補助情報パラメータ取得手段１０３２が取得した補助音声パラメータとを照合し、番組音声と補助音声とが同時に出力される場合には、番組音声の音量をゼロにする（消音する）ように、番組パラメータを変更するようにしてもよい。このようにした場合、補助音声を番組音声よりも優先して自動的に視聴者に視聴させることができる。
【０１９８】
上記の具体例１〜３では、パラメータ変更部１０４が番組の番組パラメータを用いて補助情報の補助情報パラメータを変更し、補助情報を出力する際の映像出力若しくは音声出力の態様を標準値とは異なる態様に自動的に変更するようにしていたが、パラメータ変更部１０４が補助情報の補助情報パラメータを用いて番組の番組パラメータを変更し、番組を出力する際の映像出力若しくは音声出力の態様を標準値とは異なる態様に自動的に変更するようにしてもよい。
【０１９９】
例えば、図１１に示す手話ＩＤ「ＱＮ０１」の手話映像の出力タイム（ｔｓ(1）からｔｅ(1）までの出力時間）が番組内の一部の時間帯である場合、その時間だけ番組映像ＧＢのアスペクト比を変更して、手話映像ＧＳの表示領域が番組映像ＧＢの表示領域の外側になるようにしてもよい。
【０２００】
例えば、図１０に示す表示例で、番組内の経過時間が手話ＩＤ「ＱＮ０１」の手話映像ＧＳの出力開始時間ｔｓ(1）になると、パラメータ変更部１０４が番組パラメータのアスペクト比をワイドサイズ（１６：９）から標準サイズ（４：３）に変更し、番組出力手段１０５１が番組映像ＧＢを標準サイズで表示画面１０７Ａに表示するようにする。番組映像ＧＢのアスペクト比が標準サイズに変更されると、表示画面１０７Ａの左右の両側にサイドバーが形成され、そのサイドバーの部分に手話映像ＧＳが表示されるので、番組映像ＧＢと手話映像ＧＳとを分離して表示することができる。
【０２０１】
これにより、番組映像ＧＢと手話映像ＧＳとが互いに干渉することがなく、両映像が見易くなる。
【０２０２】
なお、サイドバーの領域に手話映像ＧＳを表示させる場合、サイドバーが通常、黒色であるので、パラメータ変更部１０４は、手話映像パラメータの明るさのパラメータを標準値よりも高くするように変更し、サイドバーに対する手話映像ＧＳのコントラストを大きくするようにしてもよい。
【０２０３】
上記の具体例１〜３では、補助情報受信部１０２が字幕、手話映像、補助音声のいずれか１つを受信する場合について説明したが、番組受信部１０１が受信している番組に対して補助情報受信部１０２が２種類以上の補助情報を受信し、パラメータ変更部１０４が、番組パラメータを用いて、各補助情報の出力に関するパラメータを変更するようにしてもよい。
【０２０４】
例えば、実施の形態２の番組出力装置１Ｂにおいて、補助情報受信部１０２Ａがサーバ２から字幕と補助音声の補助情報を受信し、番組受信部１０１Ａが受信した番組とともに出力する場合、パラメータ変更部１０４は、例えば、具体例１で説明した字幕パラメータの変更と、具体例３で説明した補助音声パラメータの変更を行うようにしてもよい。
【０２０５】
この場合は、字幕パラメータと補助音声パラメータの変更後に、字幕ＧＪは、図７に示したように、背景部分ＧＪ１が透明な灰色で文字部分ＣＪ２が白若しくは黄色の字幕ＧＪの画像に変更されて表示画面１０７Ａの字幕表示領域に表示され、番組音声と補助音声は、図１４に示したように、番組音声が右側のスピーカー１０８（Ｒ）から標準値より小さい音量で番組の音声が出力され、補助音声が左側のスピーカー１０８（Ｌ）から標準値より大きい音量で補助音声が出力されるようになる。
【０２０６】
以上のように、実施の形態１，２によれば、補助情報を受信して番組とともに出力する場合、番組の出力に関する番組パラメータと補助情報の出力に関する補助情報パラメータのいずれか一方を用いて、他方のパラメータを変更するので、番組又は補助情報の出力に関するパラメータを自動的に適正値に調整することができる。
【０２０７】
これにより、番組と補助情報とが干渉して、番組若しくは補助情報、又は番組と補助情報の両方が視聴し辛くなることを低減することができる。
【０２０８】
本実施の形態１，２の番組出力装置１Ａ，１Ｂにおける処理や本実施の形態２のサーバ２における処理は、ソフトウェアで実現してもよい。そして、このソフトウェアをソフトウェアダウンロード等により配布してもよい。また、このソフトウェアをＣＤ−ＲＯＭなどの記録媒体に記録して流布してもよい。
【０２０９】
本実施の形態１における番組出力装置１Ａを実現するソフトウェアは、以下のようなプログラムである。
【０２１０】
すなわち、コンピュータを、番組を受信する番組受信部と、番組に対する補足的な情報である補助情報を受信する補助情報受信部と、番組受信部が受信した番組の出力に関するパラメータである１以上の番組パラメータと補助情報受信部が受信した補助情報の出力に関するパラメータである１以上の補助情報パラメータのいずれか一方若しくは両方を取得するパラメータ取得部と、パラメータ取得部が取得した１以上の番組パラメータを用いた１以上の補助情報パラメータの変更とパラメータ取得部が取得した１以上の補助情報パラメータを用いた１以上の番組パラメータの変更のいずれか一方若しくは両方を行うパラメータ変更部と、パラメータ変更部が変更した１以上の番組パラメータを用いて番組受信部が受信した番組を出力する、またはパラメータ変更部が変更した１以上の補助情報パラメータを用いて補助情報受信部が受信した補助情報を出力する出力部と、して機能させるためのプログラムである。
【０２１１】
また、実施の形態２における番組出力装置１Ｂを実現するソフトウェアは、以下のようなプログラムである。
【０２１２】
すなわち、コンピュータを、番組と番組識別情報とを受信する番組受信部と、番組受信部が受信した番組識別情報を有する補助情報送信指示を、番組識別情報に対応付けて補助情報を備えるサーバに送信する補助情報送信指示送信部と、補助情報送信指示の送信に応じて、当該補助情報送信指示が有する補助情報に対応する１以上の補助情報をサーバから受信する補助情報受信部と、番組受信部が受信した番組の出力に関するパラメータである１以上の番組パラメータ、または前記補助情報受信部が受信した補助情報の出力に関するパラメータである１以上の補助情報パラメータのいずれか一方若しくは両方を取得するパラメータ取得部と、パラメータ変更部が変更した１以上の番組パラメータを用いて番組受信部が受信した番組出力する、またはパラメータ変更部が変更した１以上の補助情報パラメータを用いて補助情報受信部が受信した補助情報を出力する出力部と、して機能させためのプログラムである。
【０２１３】
また、実施の形態２におけるサーバ２を実現するソフトウェアは、以下のようなプログラムである。
【０２１４】
すなわち、コンピュータがアクセス可能な記録媒体は、番組識別情報に対応付けて補助情報を格納している１又は２以上の補助情報を格納している補助情報格納部を具備し、コンピュータを、番組とともに補助情報を出力する番組出力装置から番組識別情報を有する補助情報送信指示を受信する補助情報送信指示受信部と、補助情報送信指示が有する番組識別情報に対応する補助情報を１以上の補助情報格納部から取得する補助情報取得部と、補助情報取得部が取得した１以上の補助情報を番組出力装置に送信する補助情報送信部と、して機能するプログラムである。
【０２１５】
図１５は、上記プログラムを実行して、番組出力装置１Ａ，１Ｂやサーバ２を実現するコンピュータの外観の一例を示す模式図である。実施の形態１，２は、コンピュータハードウェア及びその上で実行されるコンピュータプログラムによって実現されうる。
【０２１６】
図１５において、コンピュータシステム９００は、ＣＤ−ＲＯＭドライブ９０５を含むコンピュータ９０１と、キーボード９０２と、マウス９０３と、モニタ９０４とを備える。
【０２１７】
図１６は、コンピュータシステム９００の内部構成を示す図である。図１６において、コンピュータ９０１は、ＣＤ−ＲＯＭドライブ９０５に加えて、ＭＰＵ（Ｍｉｃｒｏ Ｐｒｏｃｅｓｓｉｎｇ Ｕｎｉｔ）９０６と、ブートアッププログラム等のプログラムを記憶するためのＲＯＭ９０７と、ＭＰＵ９０６に接続され、アプリケーションプログラムの命令を一時的に記憶すると共に、一時記憶空間を提供するＲＡＭ９０８と、アプリケーションプログラム、システムプログラム、及びデータを記憶するハードディスク９０９と、ＭＰＵ９０６、ＲＯＭ９０７等を相互に接続するバス９１０とを備える。なお、コンピュータ９０１は、ＬＡＮやＷＡＮ等への接続を提供する図示しないネットワークカードを含んでいてもよい。
【０２１８】
コンピュータシステム９００に、上記の番組出力装置１Ａ，１Ｂとサーバ２の機能を実行させるプログラムは、ＣＤ−ＲＯＭ９１１に記憶されて、ＣＤ−ＲＯＭドライブ９０５に挿入され、ハードディスク９０９に転送されてもよい。これに代えて、そのプログラムは、図示しないネットワークを介してコンピュータ９０１に送信され、ハードディスク９０９に記憶されてもよい。プログラムは実行の際にＲＡＭ９０８にロードされる。なお、プログラムは、ＣＤ−ＲＯＭ９１１、またはネットワークから直接、ロードされてもよい。また、ＣＤ−ＲＯＭ９１１に代えて他の記録媒体（例えば、ＤＶＤ等）を介して、プログラムがコンピュータシステム９００に読み込まれてもよい。
【０２１９】
プログラムは、コンピュータ９０１に、上記の番組出力装置１Ａ，１Ｂとサーバ２の機能を実行させるオペレーティングシステム（ＯＳ）、またはサードパーティプログラム等を必ずしも含んでいなくてもよい。プログラムは、制御された態様で適切な機能やモジュールを呼び出し、所望の結果が得られるようにする命令の部分のみを含んでいてもよい。コンピュータシステム９００がどのように動作するのかについては周知であり、詳細な説明は省略する。
【０２２０】
なお、上記プログラムにおいて、情報を送信する送信ステップや、情報を受信する受信ステップなどでは、ハードウェアによって行われる処理、例えば、送信ステップにおけるモデムやインターフェースカードなどで行われる処理（ハードウェアでしか行われない処理）は含まれない。
【０２２１】
また、上記プログラムを実行するコンピュータは、単数であってもよく、複数であってもよい。すなわち、集中処理を行ってもよく、あるいは分散処理を行ってもよい。
【０２２２】
また、上記実施の形態１，２において、一の装置に存在する２以上の通信手段は、物理的に一の媒体で実現されてもよいことは言うまでもない。
【０２２３】
また、上記実施の形態１，２において、各処理（各機能）は、単一の装置（システム）によって集中処理されることによって実現されてもよく、あるいは、複数の装置によって分散処理されることによって実現されてもよい。
【０２２４】
本発明は、以上の実施の形態１，２に限定されることなく、種々の変更が可能であり、それらも本発明の範囲内に包含されるものであることは言うまでもない。
【産業上の利用可能性】
【０２２５】
以上のように、本発明に係る番組出力装置等は、番組の出力に関する番組パラメータと補助情報の出力に関する補助情報パラメータのいずれか一方を用いて、他方のパラメータを自動的に適切な値に変更することができるという効果を有し、番組出力装置等として有用である。
【符号の説明】
【０２２６】
１Ａ，１Ｂ  番組出力装置
１０１，１０１Ａ  番組受信部
１０２，１０２Ａ  補助情報受信部
１０３  パラメータ取得部
１０３１  番組パラメータ取得手段
１０３２  補助情報パラメータ取得手段
１０４  パラメータ変更部
１０５  出力部
１０５１  番組出力手段
１０５２  補助情報出力手段
１０６  補助情報送信指示送信部
１０７  ディスプレイ
１０７Ａ  表示画面
１０７Ｂ  手話表示領域
１０８（Ｒ），１０８（Ｌ）  スピーカー
２  サーバ
２０１  補助情報格納部
２０２  補助情報送信指示受信部
２０３  補助情報取得部
２０４  補助情報送信部
３  インターネット回線網
９００  コンピュータシステム
９０１  コンピュータ
９０２  キーボード
９０３  マウス
９０４  モニタ
９０５  ＣＤ−ＲＯＭドライブ
９０６  ＭＰＵ
９０７  ＲＯＭ
９０８  ＲＡＭ
９０９  ハードディスク
９１０  バス
９１１  ＣＤ−ＲＯＭ
【図１】
0006386933.tif 000002
【図２】
0006386933.tif 000003
【図３】
0006386933.tif 000004
【図４】
0006386933.tif 000005
【図５】
0006386933.tif 000006
【図６】
0006386933.tif 000007
【図７】
0006386933.tif 000008
【図８】
0006386933.tif 000009
【図９】
0006386933.tif 000010
【図１０】
0006386933.tif 000011
【図１１】
0006386933.tif 000012
【図１２】
0006386933.tif 000013
【図１３】
0006386933.tif 000014
【図１４】
0006386933.tif 000015
【図１５】
0006386933.tif 000016
【図１６】
0006386933.tif 000017